(57)【要約】      （修正有）【課題】設置面に直接置いても、コンロなどに設置しても、安定して使用できるマルチクッカースタンドを提供する。【解決手段】被加熱物を加熱する際に被加熱物を載置し、設置面に接地した状態と、設置面に置かれたコンロ５０の上部に装着され設置面から離れた状態と、によって使用され、コンロ５０の外周縁において対向する２つの辺に相互に平行に設けられた凸状の２つの上面縁部５１に嵌合してコンロ５０に装着されるマルチクッカースタンド１であって、被加熱物を載置する載置部と、載置部に接合され、設置面に接地する脚部２０と、載置部の下側に設けられ、２つの上面縁部５１に嵌合する装着部３０と、を有する。【選択図】図１
0003230972.tif 000002
【実用新案登録請求の範囲】
【請求項１】
被加熱物を加熱する際に前記被加熱物を載置し、設置面に接地した状態と、前記設置面に置かれたコンロの上部に装着され前記設置面から離れた状態と、によって使用され、前記コンロの外周縁において対向する２つの辺に相互に平行に設けられた凸状の２つの上面縁部に嵌合して前記コンロに装着されるマルチクッカースタンドであって、
前記被加熱物を載置する載置部と、
前記載置部に接合され、前記設置面に接地する脚部と、
前記載置部の下側に設けられ、２つの前記上面縁部に嵌合する装着部と、を有することを特徴とするマルチクッカースタンド。
【請求項２】
前記装着部が、２つの前記上面縁部に上方から当接する少なくとも２つの上面部と、２つの前記上面縁部の下方に２つの前記上面部に平行に配置され２つの前記上面部と共に前記上面縁部を挟んだ状態に設けられた少なくとも２つの下面部と、を有し、
２つの前記上面縁部に対して移動可能に構成されていることを特徴とする、
請求項１に記載のマルチクッカースタンド。
【請求項３】
前記装着部が、高さ方向に複数設けられ、
前記コンロに装着される前記装着部が、他の前記装着部に変わることで、前記コンロに装着される高さが変わることを特徴とする、
請求項１又は請求項２に記載のマルチクッカースタンド。
【請求項４】
前記載置部の下側面が、２つの前記上面縁部に上方から当接し、
前記装着部が、２つの前記上面縁部の下方に前記下側面に平行に配置され前記下側面と共に前記上面縁部を挟んだ状態に設けられた少なくとも２つの下面部を有し、
２つの前記上面縁部に対して移動可能に構成されていることを特徴とする、
請求項１に記載のマルチクッカースタンド。
【請求項５】
前記脚部が、前記載置部に接合される縦杆部と、前記縦杆部の前記載置部に接合されない側の端部に連接される横杆部と、を有し、
前記横杆部は、前記設置面に接地することを特徴とする、
請求項１から請求項４のいずれか１項に記載のマルチクッカースタンド。
【考案の詳細な説明】
【技術分野】
【０００１】
本考案は、調理の際に被加熱物を載置して使用するクッカースタンドに関する。
【背景技術】
【０００２】
ガスバーナーなどの加熱源により被加熱物を調理する際に被加熱物を載置し、下方に配置された加熱源により加熱して調理するのに用いられるクッカースタンド（五徳スタンド）が特許文献１に開示されている。
【先行技術文献】
【特許文献】
【０００３】
【特許文献１】特開２０１９−１８７４８７号公報
【考案の概要】
【考案が解決しようとする課題】
【０００４】
バーベキューコンロなどを用いて調理をする場合、バーベキューコンロなどの網の上にクッカースタンドを載置して使用したり、大きな鍋などをバーベキューコンロなどの網の上に載置したりして調理できると便利である。
しかしながら、上記のような従来技術では、五徳スタンドを設置面に直接置いて使用する使用方法を基本としており、バーベキューコンロなどの網の上に置いて使用すると不安定なため危険であり、また、バーベキューコンロなどの網の強度が不十分なため置くことができない、という問題があった。
【０００５】
そこで、本考案は、設置面に直接置いても、コンロなどに設置しても、安定して使用できるマルチクッカースタンドを提供することを目的とする。
【課題を解決するための手段】
【０００６】
本考案は、上記目的を達成するために以下によって把握される。
（１）本考案のマルチクッカースタンドは、被加熱物を加熱する際に前記被加熱物を載置し、設置面に接地した状態と、前記設置面に置かれたコンロの上部に装着され前記設置面から離れた状態と、によって使用され、前記コンロの外周縁において対向する２つの辺に相互に平行に設けられた凸状の２つの上面縁部に嵌合して前記コンロに装着されるマルチクッカースタンドであって、前記被加熱物を載置する載置部と、前記載置部に接合され、前記設置面に接地する脚部と、前記載置部の下側に設けられ、２つの前記上面縁部に嵌合する装着部と、を有する。
（２）上記（１）において、前記装着部が、２つの前記上面縁部に上方から当接する少なくとも２つの上面部と、２つの前記上面縁部の下方に２つの前記上面部に平行に配置され２つの前記上面部と共に前記上面縁部を挟んだ状態に設けられた少なくとも２つの下面部と、を有し、２つの前記上面縁部に対して移動可能に構成されている。
（３）上記（１）又は（２）において、前記装着部が、高さ方向に複数設けられ、前記コンロに装着される前記装着部が、他の前記装着部に変わることで、前記コンロに装着される高さが変わる。
（４）上記（１）において、前記載置部の下側面が、２つの前記上面縁部に上方から当接し、前記装着部が、２つの前記上面縁部の下方に前記下側面に平行に配置され前記下側面と共に前記上面縁部を挟んだ状態に設けられた少なくとも２つの下面部を有し、２つの前記上面縁部に対して移動可能に構成されている。
（５）上記（１）から（４）のいずれかにおいて、前記脚部が、前記載置部に接合される縦杆部と、前記縦杆部の前記載置部に接合されない側の端部に連接される横杆部と、を有し、前記横杆部は、前記設置面に接地する。
【考案の効果】
【０００７】
本開示によれば、設置面に直接置いても、コンロなどに設置しても、安定して使用できるマルチクッカースタンドを提供することができる。
【図面の簡単な説明】
【０００８】
【図１】本考案の実施形態に係るマルチクッカースタンドのコンロへの装着を示す斜視図である。
【図２】本考案の実施形態に係るマルチクッカースタンドのコンロへの装着を示す側面図である。
【図３】本考案の実施形態に係るマルチクッカースタンドのコンロへの装着の変形例を示す側面図である。
【図４】本考案の実施形態に係るマルチクッカースタンドのコンロへの装着の変形例を示す側面図である。
【図５】本考案の実施形態に係るマルチクッカースタンドのコンロへの設置状態を示す斜視図である。
【図６】本考案の実施形態に係るマルチクッカースタンドのコンロへの設置状態を示す斜視図である。
【図７】本考案の実施形態に係るマルチクッカースタンドを設置面に直接置いた場合を示す図である。
【考案を実施するための形態】
【０００９】
以下、添付図面を参照しながら各実施形態について詳細に説明する。
なお、実施形態の説明の全体を通して同じ要素には同じ番号又は符号を付している。
【００１０】
本考案の実施形態に係るマルチクッカースタンド１は、被加熱物を加熱する際に被加熱物を載置して使用されるものであって、設置面に直接接地した状態と、設置面に置かれたコンロ５０の上部に装着され設置面から離れた状態と、の２つの方法によって使用される。
【００１１】
図１は、本考案の実施形態に係るマルチクッカースタンド１のコンロ５０への装着を示す斜視図である。
図１を用いて、マルチクッカースタンド１のコンロ５０への装着について説明する。
【００１２】
マルチクッカースタンド１は、被加熱物を載置する載置部１０と、設置面に接地する脚部２０と、コンロ５０に装着される装着部３０と、を有している。マルチクッカースタンド１は、加熱による調理に使用されるため、耐熱性、難燃性が必要であり、この観点から金属材料で形成されていることが好ましい。
【００１３】
載置部１０は、外枠１２と、外枠１２の内側に載置面１４と、を有している。外枠１２は、対向して配置された一対の第１枠材１２ａと、第１枠材１２ａに垂直に配置された一対の第２枠材１２ｂと、を有しており、図１においては、矩形に形成されている。しかし、外枠１２は矩形に限定されるものではなく、多角形や円形などであってもよい。また、載置面１４は、図１においては、相互に平行に設けられた棒状体によって形成されているが、これに限定されず、例えば、網目状に設けられていてもよい。
【００１４】
脚部２０は、第１脚部２１と、第２脚部２２と、を有し、それぞれ接合部２１ｃ、接合部２２ｃにおいて載置部１０に接合されている。第１脚部２１は、接合部２１ｃにおいて載置部１０に接合され、対向して設けられている一対の縦杆部２１ｂと、縦杆部２１ｂの接合部２１ｃとは反対側の載置部１０に接合されない側の端部に連接されており、これらの端部を結ぶ横杆部２１ａと、を有している。
【００１５】
同様に、第２脚部２２も、接合部２２ｃから対向して設けられている一対の縦杆部２２ｂと、縦杆部２２ｂの接合部２２ｃとは反対側の載置部１０に接合されない側の端部に連接されており、これらの端部を結ぶ横杆部２２ａと、を有している。横杆部２１ａと横杆部２２ａが設置面に接地することで、マルチクッカースタンド１が安定的に設置面に配置される。
【００１６】
なお、図１において、第１脚部２１と、第２脚部２２には、それぞれ一対の、すなわち２つの縦杆部２１ｂ、縦杆部２２ｂを有しているが、これに限定されず、縦杆部２１ｂ、縦杆部２２ｂをそれぞれ１つ有しており、これに横杆部２１ａ、横杆部２２ａが連接される構造にしてもよい。
【００１７】
装着部３０は、載置部１０の下側に設けられており、対向して平行に設けられた第１装着部３１と、第２装着部３２と、を有している。第１装着部３１と第２装着部３２は、図１においては、断面がコの字形状であって、コの字形状の開口部が相互に対向するように載置部１０の下側に取り付けられている。すなわち、２本のレール状に設けられている。図１において、第１装着部３１と第２装着部３２は、載置部１０の外枠１２における第１枠材１２ａと同等の長さに設けられているが、これに限定されず、第１枠材１２ａより短くても長くてもよい。
【００１８】
第１装着部３１と第２装着部３２は、載置部１０に溶接や接着で取り付けてもよく、あるいは、螺合によって取り付けてもよい。また、第１装着部３１と第２装着部３２は、断面がコの字形状であることに限定されず、載置部１０と一定の高さの隙間であって、開口部が相互に対向した隙間を形成できる形状であればよい。更に、第１装着部３１と第２装着部３２は、それぞれ一つの部材である必要はなく、複数の部材で形成されていてもよい。
【００１９】
コンロ５０は、炭などの燃料を収容する燃料収容部５７が、上部側が開口した構造を有しており、この開口を覆うように略平面に構成された載置網５３が設置されている。燃料収容部５７の開口の外周縁に上面縁部５１が設けられている。図１において、燃料収容部５７は矩形に構成されており、上面縁部５１のうち対向する長手の２つの辺に第１上面縁部５１ａと第２上面縁部５１ｂの２つが燃料収容部５７の外側に向けて凸状に相互に平行に設けられている。また、載置網５３は、上面縁部５１の内側に設置されている。
【００２０】
図１において、コンロ５０の右手にあるマルチクッカースタンド１ａをＡの方向（水平方向）に移動して、コンロ５０の第１上面縁部５１ａ、第２上面縁部５１ｂと、マルチクッカースタンド１の第１装着部３１と第２装着部３２を嵌合させてそのまま同じ方向（水平方向）にスライドさせるとマルチクッカースタンド１ｂの状態になり、すなわち、マルチクッカースタンド１はコンロ５０にスライドして装着される。
【００２１】
マルチクッカースタンド１ｂの位置において、第１装着部３１と第２装着部３２が第１上面縁部５１ａ、第２上面縁部５１ｂに支持されることでマルチクッカースタンド１ｂは、安定して装着され、設置された状態になる。
【００２２】
マルチクッカースタンド１ｂの位置からＢの方向にスライドすることで、コンロ５０の水平方向の位置を変更することができ、任意の位置でマルチクッカースタンド１をコンロ５０に安定して設置することができる。すなわち、図１において、マルチクッカースタンド１ｂの位置からマルチクッカースタンド１ｃの位置の間において、自由に設置する位置を選択することができる。
【００２３】
更に、マルチクッカースタンド１ｃの位置からＣの方向にスライドさせるとマルチクッカースタンド１ｄの位置になり、コンロ５０からマルチクッカースタンド１を取り外すことができる。また、逆の方向から設置、移動することもでき、マルチクッカースタンド１ｄの位置から移動して、マルチクッカースタンド１ｃの位置に装着してからスライドさせてマルチクッカースタンド１ｂの位置に移動し、更に、マルチクッカースタンド１ａの位置に取り外すことができる。
【００２４】
図２、図３、図４は、本考案の実施形態に係るマルチクッカースタンド１のコンロ５０への装着を示す側面図である。図３、図４は、図２に示す場合の変形例を示す図である。
【００２５】
図２において、コンロ５０の燃料収容部５７の上側に設けられた上面縁部５１のうち対向する２辺に第１上面縁部５１ａと第２上面縁部５１ｂが燃料収容部５７の外側に向けて凸状に形成されている。
【００２６】
マルチクッカースタンド１の装着部３０は、対向して平行に設けられた第１装着部３１と、第２装着部３２と、を有しており、第１装着部３１と第２装着部３２は、断面がコの字形状であって、コの字形状の開口部が相互に対向するように載置部１０に取り付けられている。
【００２７】
図２に示すように、第１上面縁部５１ａと第２上面縁部５１ｂには、第１装着部３１と第２装着部３２が嵌合して装着されている。第１装着部３１は、第１上面縁部５１ａに上方から当接する上面部３１ａと、第１上面縁部５１ａの下方に上面部３１ａに平行に配置され、上面部３１ａと共に第１上面縁部５１ａを挟んだ状態に設けられた下面部３１ｂと、を有している
【００２８】
同様に、第２装着部３２は、第２上面縁部５１ｂに上方から当接する上面部３２ａと、第２上面縁部５１ｂの下方に上面部３２ａに平行に配置され、上面部３２ａと共に第２上面縁部５１ｂを挟んだ状態に設けられた下面部３２ｂと、を有している
【００２９】
すなわち、装着部３０が、２つの第１上面縁部５１ａ、第２上面縁部５１ｂに上方から当接する少なくとも２つの上面部３１ａ、３２ａと、２つの第１上面縁部５１ａ、第２上面縁部５１ｂの下方に上面部３１ａ、３２ａに平行に配置され、２つの上面部３１ａ、３２ａと共に第１上面縁部５１ａ、第２上面縁部５１ｂを挟んだ状態に設けられた少なくとも２つの下面部３１ｂ、３２ｂと、を有している。
【００３０】
このようにすることで、装着部３０は、２つの第１上面縁部５１ａ、第２上面縁部５１ｂに対して移動可能に構成されている。したがって、マルチクッカースタンド１は、コンロ５０に対して移動可能に構成されており、図１に示すようにマルチクッカースタンド１ａとマルチクッカースタンド１ｄの間で移動可能になっている。
【００３１】
マルチクッカースタンド１が、コンロ５０に装着された状態で、下面部３１ｂ、３２ｂは、第１上面縁部５１ａ、第２上面縁部５１ｂに接触していなくてもよい。すなわち、第１上面縁部５１ａと第２上面縁部５１ｂの高さ方向の厚さに対して、第１装着部３１と第２装着部３２のコの字形状の断面の高さ方向の高さ（内寸）は同じか又は少し大きく構成されていて隙間があるようにしてもよい。この隙間が小さく構成されているため、マルチクッカースタンド１が、がたつきが少なく、安定した状態でコンロ５０に装着されている。この隙間は、５ｍｍ以下であることが望ましく、より好ましくは２ｍｍ以下であることが望ましい。この隙間が小さ過ぎるとマルチクッカースタンド１をコンロ５０に装着する際に嵌合させるのが難しくなるため、０．５ｍｍ以上であることが望ましい。
【００３２】
第１装着部３１の連結部３１ｃと第２装着部３２の連結部３２ｃの内側どうしの距離は、第１上面縁部５１ａ、第２上面縁部５１ｂの端部の距離（上面縁部５１の幅）に対して、少し大きく構成されている。すなわち、第１装着部３１の連結部３１ｃと第２装着部３２の連結部３２ｃの内側と上面縁部５１とは隙間がある。この隙間は両方の端部の合計で、３ｍｍから２０ｍｍが望ましく、より好ましくは、５ｍｍから１５ｍｍであることが望ましい。マルチクッカースタンド１をコンロ５０に装着する際のやり易さの観点からは、この隙間は大きい方がよい。一方で、大き過ぎるとコンロ５０に装着した状態でマルチクッカースタンド１のがたつきが大きくなる。
【００３３】
また、マルチクッカースタンド１が、コンロ５０の上に載っているだけでなく、第１装着部３１と第２装着部３２の下面部３１ｂ、３２ｂにより上方向の動きが規制されているため、マルチクッカースタンド１が、上方に外れることを防止している。このようにすることで、マルチクッカースタンド１に人がぶつかるなどして外力が作用しても、マルチクッカースタンド１がコンロ５０から外れる事故が発生するのを防止することができる。
【００３４】
図３は、本考案の実施形態に係るマルチクッカースタンド１のコンロ５０への装着の変形例を示す側面図である。図３に示す変形例において、図２に示す場合に対して、第１装着部３１と第２装着部３２だけが異なっており、その他は図２に示す場合と同様である。
【００３５】
図２において、第１装着部３１と第２装着部３２はコの字形状の断面としている。これに対して、図３において、第１装着部３１と第２装着部３２は、略クランク形状の断面としている。すなわち、上面部３１ａ、３２ａが、連結部３１ｃ、３２ｃの上端から外側に向けて設けられており、第１上面縁部５１ａ、第２上面縁部５１ｂの外側において載置部１０の下側面１０ａに取り付けられているようにしてもよい。この場合、上面部３１ａ、３２ａに代わって載置部１０の下側面１０ａが、上方から第１上面縁部５１ａ、第２上面縁部５１ｂに当接し、下側面１０ａに平行に設けられた下面部３１ｂ、３２ｂと共に第１上面縁部５１ａ、第２上面縁部５１ｂを挟んだ状態になる。このようにしても、図２に示す場合と同様に、マルチクッカースタンド１をコンロ５０に対して移動可能に構成することができる。
【００３６】
図４は、本考案の実施形態に係るマルチクッカースタンド１のコンロ５０への装着の変形例を示す側面図である。図４に示す変形例において、図２に示す場合に対して、第１装着部３１と第２装着部３２だけが異なっており、その他は図２に示す場合と同様である。
【００３７】
図４において、第１装着部３１と第２装着部３２は、それぞれ対応するＡ位置部３１Ａ、３２Ａ、Ｂ位置部３１Ｂ、３２Ｂ、Ｃ位置部３１Ｃ、３２Ｃの３つの高さ方向の位置に対応した複数の装着部を有している。すなわち、第１装着部３１と第２装着部３２は、高さ方向に複数設けられ、コンロ５０に装着される第１装着部３１と第２装着部３２が、他の位置に対応した第１装着部３１と第２装着部３２に変わることで、コンロ５０に装着されるマルチクッカースタンド１の高さが変わるようになっている。
【００３８】
そして、図４に示すように、Ｎ位置部３１Ｎ、３２Ｎによってコンロ５０の第１上面縁部５１ａと第２上面縁部５１ｂに装着した場合には、マルチクッカースタンド１の載置部１０の上面とコンロ５０の第１上面縁部５１ａ、第２上面縁部５１ｂの上面の隙間はＨＮとなる。同様に、Ｌ位置部３１Ｌ、３２Ｌによって装着し場合は、隙間はＨＬとなり、Ｍ位置部３１Ｍ、３２Ｍによって装着し場合は、隙間はＨＭとなる。この場合、ＨＮ＞ＨＭ＞ＨＬの関係になる。
【００３９】
この隙間が変わることによって、燃料収容部５７に収容された炭などの燃料と載置部１０の上の被加熱物との距離が変わるため、被加熱物を加熱する火力を調整することができる。このように、装着部３０が高さ方向に複数設けられ、コンロ５０に装着される高さが変更できるようにしてもよい。なお、図４において装着部３０が３つの高さに対応するように示されているが、これに限定されず、２つの高さに対応しても４つ以上の高さに対応してもよい。
【００４０】
一方、図２に示す場合には、マルチクッカースタンド１の載置部１０の上面とコンロ５０の第１上面縁部５１ａ、第２上面縁部５１ｂの上面の隙間はＨで固定となり、この場合には、距離による火力の調整はできない。
【００４１】
図５、図６は、本考案の実施形態に係るマルチクッカースタンド１のコンロ５０への設置状態を示す斜視図である。
【００４２】
図５において、マルチクッカースタンド１は、コンロ５０から相当部分がはみ出した状態で装着されている。マルチクッカースタンド１を水平方向にスライドすることで、はみ出す長さは変更することができる。
【００４３】
図５に示すように装着することで、マルチクッカースタンド１を簡易的なバーベキュー用のコンロ５０の棚として使用することができ、例えば、バーベキューの材料（肉、野菜など）を置いておくことができて、非常に便利である。既に説明したように、誤って人がぶつかるなどしてマルチクッカースタンド１に外力が作用しても、マルチクッカースタンド１がコンロ５０から外れる事故が発生するのを防止することができる。
【００４４】
また、マルチクッカースタンド１は、脚部２０が、設置面に接地する横杆部２１ａ、２２ａを有しており、横杆部２１ａ、２２ａが水平方向に延びるように構成されている。マルチクッカースタンド１を、コンロ５０に装着することで横杆部２１ａ、２２ａは設置面から離れて宙に浮いた状態になり、トング８０などの調理用器具を掛けることができて、非常に便利である。また、例えば、Ｓ字状に形成されたフックなどを横杆部２１ａ、２２ａに掛けることで、このフックに穴の開いた調理器具などを掛けることもできる。
【００４５】
図６において、マルチクッカースタンド１は、コンロ５０の燃料収容部５７の上部に装着されている。このように装着することで、マルチクッカースタンド１の上に置かれた鍋８１をコンロ５０により加熱して調理することができる。
【００４６】
通常、バーベキュー用のコンロ５０の載置網５３は、肉や野菜等の重量の軽い被加熱物を載せるように構成されており、重量の重い物を載せるようには構成されていない。このため、重量の重い鍋８１などを置くと、載置網５３が変形したり破損したりして、安全性の面からも問題である。
【００４７】
一方で、図６において、マルチクッカースタンド１は、コンロ５０の燃料収容部５７の上部に装着されている。マルチクッカースタンド１の載置面１４は、強度的に載置網５３よりも強く構成されており、このように装着することで、マルチクッカースタンド１の上に重量の重い鍋８１などを置くことができる。この際、マルチクッカースタンド１に掛かる重量は、載置面１４及び装着部３０（３１、３２）を圧縮する方向に作用し、載置面１４及び装着部３０を引き離す方向には作用しないため、載置面１４及び装着部３０が引き離されて破損することもない。
【００４８】
マルチクッカースタンド１において脚部２０の横杆部２１ａ、２２ａは、図５においては、直線状に形成されているが、これに限定されず、例えば、図６に示すように、中央部が凹状になっていて、両端部で設置面に接地するように構成されていてもよい。この場合も、図５に示す場合と同様に、横杆部２１ａ、２２ａに、トング８０などの調理用器具を掛けることができる。
【００４９】
図７は、本考案の実施形態に係るマルチクッカースタンド１を設置面９０に直接置いた場合を示す図である。設置面９０は、机などであってもよく、地面や石の上などであってよい。すなわち、本実施形態において、マルチクッカースタンド１はコンロ５０に装着しないで単独で使用することができる。
【００５０】
設置面９０にマルチクッカースタンド１を置き、第１脚部２１の横杆部２１ａ及び第２脚部２２の横杆部２２ａを設置面９０に設置させる。そして、マルチクッカースタンド１の下にバーナー８２を設置する。マルチクッカースタンド１の載置部１０の載置面１４の上には被加熱物を置く。図７においては、カップ８３が置かれており、その中の飲物などをバーナー８２の火によって加熱する場合を示している。
【００５１】
なお、マルチクッカースタンド１の第１脚部２１及び第２脚部２２は、載置部１０に対して開閉可能に接合されていてもよい。図７では使用時の状態を示しており、第１脚部２１及び第２脚部２２が開いた状態であり、この状態から第１脚部２１及び第２脚部２２がそれぞれ内側に回動して、それぞれＰ及びＱの方向に載置部１０と平行になる位置まで閉じて折り畳み可能に構成してもよい。このようにすることで、非使用時には、非常にコンパクトにすることができ、持ち運びに便利である。
【００５２】
以上の説明のとおり、本実施形態によれば、設置面９０に直接置いても、コンロ５０などに設置しても安定して使用でき、複合的な目的・用途に使用可能なマルチクッカースタンド１を提供することができる。
【００５３】
以上、具体的な実施形態に基づいて本考案を説明してきたが、本考案は上記実施形態に限定されるものではなく、適宜、変形や改良を実施しても良い。
【００５４】
このように、本考案は、具体的な実施形態に限定されるものではなく、適宜、変形や改良を施したものも本考案の技術的範囲に含まれるものであり、そのことは、当業者にとって実用新案登録請求の範囲の記載から明らかである。
【符号の説明】
【００５５】
１      マルチクッカー
１０    載置部
１０ａ  下側面
１２    外枠
１２ａ  枠材
１２ｂ  枠材
１４    載置面
２０    脚部
２１    第１脚部
２１ａ  横杆部
２１ｂ  縦杆部
２１ｃ  接合部
２２    第２脚部
２２ａ  横杆部
２２ｂ  縦杆部
２２ｃ  接合部
３０    装着部
３１    第１装着部
３１ａ  上面部
３１ｂ  下面部
３１ｃ  連結部
３１Ｌ  Ｌ位置部
３１Ｍ  Ｍ位置部
３１Ｎ  Ｎ位置部
３２    第２装着部
３２ａ  上面部
３２ｂ  下面部
３２ｃ  連結部
３２Ｌ  Ｌ位置部
３２Ｍ  Ｍ位置部
３２Ｎ  Ｎ位置部
５０    コンロ
５１    上面縁部
５１ａ  第１上面縁部
５１ｂ  第２上面縁部
５３    載置網
５５    支持部
５７    燃料収容部
８０    トング
８１    鍋
８２    バーナー
８３    カップ
９０    設置面
【図１】
0003230972.tif 000003
【図２】
0003230972.tif 000004
【図３】
0003230972.tif 000005
【図４】
0003230972.tif 000006
【図５】
0003230972.tif 000007
【図６】
0003230972.tif 000008
【図７】
0003230972.tif 000009